(57)【要約】【課題】ハリスをミチ糸から確実に離すことができ、糸絡みの発生を防ぐだけでなく、軸状体の周囲の部分が見た目にスッキリと仕上がり、商品的価値の向上を図ることができる魚釣りの仕掛け装置を提供する。【解決手段】帯板状に形成された弾性板２の中央部にミチ糸をつなぐ軸状体５を固定し、この弾性板２の軸状体５を境とする両側にそれぞれ複数のハリス通し孔６を設け、上記した両側のハリス通し孔６にそれぞれハリス７を、弾性板２の先端部に位置するハリス通し孔６ａから引き出すようにして挿通し、このハリス７の端部が弾性板２の途中に固着されている。【選択図】　図２
2004033196.tif 000002
【特許請求の範囲】
【請求項１】
帯板状に形成された弾性板の中央部に軸状体を設け、この弾性板の軸状体を境とする両側にそれぞれ複数のハリス通し孔を設け、上記した両側のハリス通し孔にそれぞれハリスを、弾性板の先端部に位置するハリス通し孔から引き出すようにして挿通し、このハリスの端部を弾性板の途中に固着した魚釣りの仕掛け装置。
【請求項２】
上記ハリスを、それぞれ弾性板の先端部に位置するハリス通し孔から弾性板の延長方向外側に引き出すようにして挿通した請求項１に記載の魚釣りの仕掛け装置。
【請求項３】
帯板状に形成された弾性板の中央部に軸状体を設け、この弾性板の軸状体を境とする両側にそれぞれ複数のハリス通し孔を設け、上記弾性板の先端部でハリス通し孔を設けた部分を下向きに屈曲させ、上記した両側のハリス通し孔にそれぞれハリスを、弾性板の先端部に位置するハリス通し孔から弾性板の延長方向外側に引き出すようにして挿通し、このハリスの端部を弾性板の途中に固着した魚釣りの仕掛け装置。
【請求項４】
帯板状に形成された弾性板の中央部に軸状体を設け、この弾性板の軸状体を境とする両側にそれぞれ複数のハリス通し孔を設け、上記弾性板の先端部に筒状部材を長さ方向に沿って設け、上記した両側のハリス通し孔にそれぞれハリスを、弾性板の先端部に位置する筒状部材から弾性板の延長方向外側に引き出すようにして挿通し、このハリスの端部を弾性板の途中に固着した魚釣りの仕掛け装置。
【請求項５】
上記したハリスは、ハリス通し孔に挿通し、その端部を軸状体に固着した請求項３又は４に記載の魚釣りの仕掛け装置。
【発明の詳細な説明】
【０００１】
【発明の属する技術分野】
この発明は、魚釣りに用いる仕掛け装置に関する。
【０００２】
【従来の技術】
魚釣りの仕掛けにおいて、ミチ糸とハリスの糸がらみを防ぐための手段として、従来よりテンビンが使用されている。
【０００３】
上記テンビンは、上下にミチ糸を接続するための環状部を設けた軸体に、細い金属線の弾性腕を設け、ミチ糸に上端を接続した軸体の下端にコマセカゴとオモリを取り付け、弾性腕の先端にハリスを固定してつり下げるようになっており、糸がらみを防ぐ以外に、ミチ糸とオモリを一体化することができるという利点がある。
【０００４】
【発明が解決しようとする課題】
しかし、従来のテンビンは、弾性腕の先端にハリスを直接固定してつり下げるようになっているので、魚が餌に食いついて引いたときに先ず弾性腕だけがが撓むことになり、このため、ミチ糸に引いたときの感触が直ぐに伝わらず、ミチ糸を引くタイミングが遅れ、魚を逃がしてしまうという問題がある。
【０００５】
このようなテンビンの問題点を解決するため、本出願人は、特願２００１−３９３８８３号によってによって新規な魚釣りの仕掛け装置を提案した。
【０００６】
この魚釣りの仕掛け装置は、ミチ糸をつなぐ軸状体に径方向の両側へ突出する帯板状の弾性板を固定し、この弾性板の軸状体から突出する両側にそれぞれ所要数のハリス通し孔を設け、上記弾性板の両側において、先端に釣針を設けたハリスを、弾性板の先端側に位置するハリス通し孔から順に通し、その端部を軸状体に固着した構造になっている。
【０００７】
【発明が解決しようとする課題】
ところで、上記仕掛け装置においては、弾性板の先端側に位置するハリス通し孔からハリスを下向きに引き出しているため、ハリスの配置がどうしても内側に集まり易くなり、ハリスとミチ糸もしくはハリス同志の糸絡みが発生することがあるという点で改善の余地が見いだされた。
【０００８】
また、弾性板のハリス通し孔に順次挿通したハリスの端部を弾性板の上面側において軸状体と固着した場合は、軸状体の周囲においてハリスが集まり、軸状体の周囲が見た目に繁雑となり、商品的価値の面で好ましくない。
【０００９】
そこで、この発明の課題は、ハリスをミチ糸から確実に離すことができ、糸絡みの発生を防ぐだけでなく、軸状体の周囲の部分が見た目にスッキリと仕上がり、商品的価値の向上を図ることができる魚釣りの仕掛け装置を提供することにある。
【００１０】
【課題を解決するための手段】
上記のような課題を解決するため、請求項１の発明は、帯板状に形成された弾性板の中央部に軸状体を設け、この弾性板の軸状体を境とする両側にそれぞれ複数のハリス通し孔を設け、上記した両側のハリス通し孔にそれぞれハリスを、弾性板の先端部に位置するハリス通し孔から引き出すようにして挿通し、このハリスの端部を弾性板の途中に固着した構成を採用したものである。
【００１１】
請求項２の発明は、上記ハリスを、それぞれ弾性板の先端部に位置するハリス通し孔から弾性板の延長方向外側に引き出すようにして挿通した構成を採用したものである。
【００１２】
請求項３の発明は、帯板状に形成された弾性板の中央部に軸状体を設け、この弾性板の軸状体を境とする両側にそれぞれ複数のハリス通し孔を設け、上記弾性板の先端部でハリス通し孔を設けた部分を下向きに屈曲させ、上記した両側のハリス通し孔にそれぞれハリスを、弾性板の先端部に位置するハリス通し孔から弾性板の延長方向外側に引き出すようにして挿通し、このハリスの端部を弾性板の途中に固着した構成を採用したものである。
【００１３】
請求項４の発明は、帯板状に形成された弾性板の中央部に軸状体を設け、この弾性板の軸状体を境とする両側にそれぞれ複数のハリス通し孔を設け、上記弾性板の先端部に筒状部材を長さ方向に沿って設け、上記した両側のハリス通し孔にそれぞれハリスを、弾性板の先端部に位置する筒状部材から弾性板の延長方向外側に引き出すようにして挿通し、このハリスの端部を弾性板の途中に固着した構成を採用したものである。
【００１４】
請求項５の発明は、上記したハリスは、ハリス通し孔に挿通し、その端部を軸状体に固着した構成を採用したものである。
【００１５】
上記のように、ハリスを弾性板の先端部から弾性板の延長方向外側に引き出すようにして挿通すると、弾性板の先端からハリスは、自身の持つ弾性で弧を描くようにして外側に突出し、これにより、ハリスは先端側が拡散する配置になり、ハリスとミチ糸もしくはハリス同志の糸絡みの発生を防ぐことができる。
【００１６】
ここで、上記した弾性板は合成樹脂や金属の板を用い、自然状態で水平もしくは少し下方に湾曲した状態を保ち、魚の引きによって撓むような弾性を有するように形成され、ミチ糸をつなぐ軸状体に対して両側に突出するような対称状の配置となり、上記ハリスは弾性板の先端のハリス通し孔から挿通し、各ハリス通し孔に対して上下交互に順次通すようにして長さ方向に沿った配置で取り付け、その端部を弾性板の途中又は軸状体に固着する。
【００１７】
弾性板の途中に対するハリス端部の固着方法は、弾性板の軸状体に近接する位置に二個のハリス通し孔を近接して設け、ハリス端部をこの二個のハリス通し孔に挿通して輪状に縛ることにより行なっている。
【００１８】
また、軸状体に対して弾性板は、三方や四方に突出するような配置で設けたり、軸状体の上下に形成した環状部につないだで複数の仕掛け装置を上下多段に連結して用いることができる。
【００１９】
【発明の実施の形態】
以下、この発明の実施の形態を図示例と共に説明する。
【００２０】
図示のように、仕掛け装置１は、帯板状に形成された弾性板２の中央部に、上下に環状部３と４を設けた軸状体５を固定し、この弾性板２の軸状体５を境とする両側の突出部分２ａにそれぞれ複数のハリス通し孔６を長さ方向に並べて設け、上記弾性板２の両側突出部分２ａ、２ａのそれぞれにおいて、先端側に位置する通し孔６ａから順にハリス７を順に通し、このハリス７の端部を突出部分２ａの途中に固定した構造になっている。
【００２１】
上記弾性板２は、自然状態で水平もしくは少し下方に湾曲した状態を保ち、魚の引きによって撓むような弾性を有する合成樹脂や金属の板を用いて形成され、金属線材を用いた軸状体５に対して軸方向に移動しないように固定されている。この弾性板２の長さや幅、弾性や強度は、釣らんとする魚の種類に合わせて設定すればよく、図示の場合は中央部分から両端に向けて細幅となるようにしたが、全長を同一の幅にしたもよい。
【００２２】
この弾性板２は、金属のばね板でもよいが、透明な合成樹脂を用いて形成すれば、魚に対して目立たなくなり、魚の警戒心を少なくすることができる。
【００２３】
また、ハリス７は、弾性板２の両側突出部分２ａ、２ａに設けた複数のハリス通し孔６に対して、図２で示したように、各ハリス通し孔６に対して上下交互に通すようにし、その端部を突出部分２ａの軸状体５に近い位置に縛る等して固定すると共に、釣針８を設けた先端側は、突出部分２ａの先端側に位置するハリス通し孔６ａから弾性板の延長方向外側に引き出すように挿通する。
【００２４】
従って、ハリス７は、突出部分２ａの長さ方向に沿った配置となるよう取り付けられ、上記のように、ハリス７を弾性板２の先端部から弾性板２の延長方向外側に引き出すようにして挿通すると、ハリス７は突出部分２ａの先端から自身の持つ弾性で弧を描くようにして外側に突出し、これにより、ハリス７は先端側が拡散する配置になり、軸状体５と釣針８の間に十分な間隔が保持され、ハリス７と軸状体５につないだミチ糸９もしくはハリス７同志の糸絡みの発生を有効に防ぐことができる。
【００２５】
上記したハリス７を先端側が拡散する配置とするため、図２に示す例は、突出部分２ａの先端部に設けたハリス通し孔６ａに対して、ハリス７を下面から上側外方に引き出されるように挿通し、突出部分２ａの先端部上面によってハリスを７上方に弧を描くようにして外側へ突出させるようにしている。
【００２６】
図５（Ａ）に示す例は、突出部分２ａの先端部でハリス通し孔６ａを設けた部分を下向きの屈曲部１０とし、この先端部のハリス通し孔６ａの軸心を水平に近づけ、ハリス７の先端側を下面から外方に引き出されるように挿通することにより、先端部のハリス通し孔６ａから外方へ自身の持つ弾性で弧を描くようにして突出させるようにしている。
【００２７】
同じく図５（Ｂ）に示す例は、突出部分２ａの先端部に適宜長さの筒状部材１１を長さ方向に沿って設け、ハリス７の先端側をこの筒状部材１１の内径で形成された先端部のハリス通し孔６ａに内端側から外方へ挿通し、自身の持つ弾性で弧を描くようにして突出させるようにしている。この筒状部材１１は、図示のような短いものに限定されるものではなく、長さは突出部分２ａの長さに合わせて設定すればよいと共に、弾性板２と一体の材料から筒状に形成したり、別体のものを突出部分２ａの先端部に固定してもよい。
【００２８】
上記ハリス７の端部を突出部分２ａの途中に固定する方法は、図２の場合、突出部分２ａの軸状体５に近接する位置に二個のハリス通し孔６を近接して設け、ハリス７の端部をこの二個のハリス通し孔６に挿通して輪状に縛ることにより行なっている。
【００２９】
また、ハリス７の端部は、軸状体５に固着することもできる。この場合、軸状体５の途中に設けた輪状部にハリス７の端部を固着すればよく、軸状体５の周囲にハリス７に集合した状態になるので、見た目は悪くなるが、釣針８ををくわえてハリス７を引く魚の当たりを軸状体５につないだミチ糸９に直接伝えることができるという利点がある。
【００３０】
上記仕掛け装置１は、一つだけを使用し、軸状体５の上端にミチ糸９を接続し、軸状体５の下端に重りを接続することにより使用してもよいが、図１は、上記仕掛け装置１を、上下多段に連結した例を示し、最上部の仕掛け装置１における軸状体５の上端にミチ糸９をヨリモドシ等を介して接続し、上下の仕掛け装置１は軸状体５の上下環状部３、４を利用して、所定長さの中間ミチ糸９ａで接続し、最下部の仕掛け装置１における軸状体５の下端にヨリモドシ１２と下部ミチ糸９ｂを介して重り１３を接続している。
【００３１】
上記仕掛け装置１において、弾性板２は、突出部分２ａが両側二方向に突出するだけでなく、図４に示す例のように、軸状体５から突出部分２ａが四方に突出するような配置で設け、各突出部分２ａの先端からハリス７の釣針８を拡散状に配置し、四個の釣針８を設けるようにすることもでき、弾性板２における突出部分２ａの数は自由に設定できる。
【００３２】
この発明の仕掛け装置は、上記のような構成であり、図１で例示したように、ミチ糸９の先端に仕掛け装置１を接続し、弾性板２の先端から拡散状に配置された各ハリス７の釣針８に餌を付けて海中に沈めることで当たりを待てばよい。魚釣りの種類としては、磯釣り、船釣り、筏釣り等を挙げることができる。
【００３３】
図３は、釣針８に魚Ａがかかった時の状態を示し、釣針８にかかった魚Ａがハリス７を引くと、弾性板２の突出部分２ａが弧状に撓むことになるが、ハリス７の端部は突出部分２ａの途中または軸状体５に固着されているので、ハリス７の引きは突出部分２ａ又は軸状体５を介してミチ糸９に直接伝わることになり、従って、引いたときの感触がミチ糸９を持つ釣り人に直ぐに伝わり、ミチ糸９を引いて合わせるタイミングが遅れるというようなことがなくなり、釣果の向上が図れることになる。
【００３４】
また、各ハリス７の釣針８は、拡散状に配置されているので、海中に沈めたときにも各釣針８の間に十分な間隔が保持され、各釣針８への魚の食いつきが良くなると共に、ハリス７とミチ糸９もしくはハリス７同志の糸絡みの発生を防ぐことができる。
【００３５】
【発明の効果】
以上のように、この発明によると、帯板状に形成された弾性板の中央部に軸状体を設け、この弾性板の軸状体を境とする両側にそれぞれ設けた複数のハリス通し孔にハリスを、弾性板の先端部に位置するハリス通し孔から引き出すようにして挿通し、このハリスの端部を弾性板の途中に固着したので、軸状体の周囲の部分が見た目にスッキリと仕上がり、商品的価値の向上を図ることができる
【００３６】
また、弾性板の先端部から外部にハリスを拡散状に配置するようにしたので、各釣針の間に十分な間隔が保持され、各釣針への魚の食いつきが良く、釣果の向上が図れると共に、ハリスとミチ糸もしくはハリス同志の糸絡みの発生を有効に防ぐことができる。
【図面の簡単な説明】
【図１】この発明に係る仕掛け装置の使用状態を示す正面図
【図２】この発明に係る仕掛け装置の斜視図
【図３】この発明に係る仕掛け装置に魚がかかった状態を示す要部を拡大した一部切り欠き正面図
【図４】この発明に係る仕掛け装置の他の例を示す平面図
【図５】（Ａ）は弾性板の先端部の他の構造を示す斜視図、（Ｂ）は弾性板の先端部の更に他の構造を示す斜視図
【符号の説明】
１　　　仕掛け装置
２　　　弾性板
３　　　環状部
４　　　環状部
５　　　軸状体
６　　　ハリス通し孔
７　　　ハリス
８　　　釣針
９　　　ミチ糸
１０　　屈曲部
１１　　筒状部材
【図１】
2004033196.tif 000003
【図２】
2004033196.tif 000004
【図３】
2004033196.tif 000005
【図４】
2004033196.tif 000006
【図５】
2004033196.tif 000007